(57)【要約】【課題】テレビの入力切替操作を確実に行うことができるテレビ制御装置を提供することを目的とする。【解決手段】本発明は、リモコン受信部１７を有するテレビ１の画像または音声のいずれか一方の動作状態を取得する動作状態取得部３と、コンテンツプレーヤ２からテレビ１に入力される画像情報または音声情報の少なくとも一方を含むコンテンツ情報を取得するコンテンツ情報取得部４と、動作状態取得部３から得られる動作状態とコンテンツ情報取得部４から得られるコンテンツ情報とを比較することにより、コンテンツ情報がテレビ１に表示されているかどうかを判定する判定部５と、判定部５の判定結果に基づいて、テレビ１のリモコン受信部１７に制御信号を送信するリモコン送信部８と、を備えることを特徴とする。【選択図】図２
2008131126.tif 000002
【特許請求の範囲】
【請求項１】
リモコン受信部を有するテレビの画像または音声の少なくとも一方の動作状態を取得する動作状態取得部と、
コンテンツプレーヤから前記テレビに入力される画像情報または音声情報の少なくとも一方を含むコンテンツ情報を取得するコンテンツ情報取得部と、
前記動作状態取得部から得られる前記動作状態と前記コンテンツ情報取得部から得られる前記コンテンツ情報とを比較することにより、前記コンテンツ情報が前記テレビに表示されているかどうかを判定する判定部と、
前記判定部の判定結果に基づいて、前記テレビの前記リモコン受信部に制御信号を送信するリモコン送信部と、
を備えることを特徴とするテレビ制御装置。
【請求項２】
リモコン受信部を有するテレビの画像または音声の少なくとも一方の動作状態を取得する動作状態取得部と、
コンテンツプレーヤから前記テレビに入力される画像情報または音声情報の少なくとも一方を含むコンテンツ情報に基準情報を加える基準情報発信部と、
前記動作状態取得部が前記基準情報に基づく動作状態を取得しているかどうかを判定することにより、前記コンテンツ情報が前記テレビに表示されているかどうかを判定する判定部と、
前記判定部の判定結果に基づいて、前記テレビの前記リモコン受信部に制御信号を送信するリモコン送信部と、
を備えることを特徴とするテレビ制御装置。
【請求項３】
前記リモコン送信部は、前記テレビの他の入力ポートに対応する入力モードに切り替えるリモコン信号を送信し、
前記判定部は、前記コンテンツ情報が前記テレビに表示されているかを、再度、判定することを特徴とする請求項１または２に記載のテレビ制御装置。
【請求項４】
外部からのリモコン信号を受信するリモコン受信部と、
前記テレビの機種情報と、前記機種情報に対応し、前記テレビを制御するための制御信号を管理するリモコン信号データベースと、
をさらに備え、
前記リモコン送信部は、前記リモコン受信部が前記外部からのリモコン信号を受信したときに、前記リモコン信号データベースから前記テレビに対応する制御信号を取得し、前記テレビに送信することを特徴とする請求項１〜３のいずれか１項に記載のテレビ制御装置。
【請求項５】
請求項１〜４のいずれか１項に記載のテレビ制御装置と、
テレビと、
を備え、
前記テレビは前記テレビ制御装置により制御されることを特徴とする睡眠環境制御システム。
【発明の詳細な説明】
【技術分野】
【０００１】
本発明は、テレビの入力切替操作を確実に行うことができるテレビ制御装置に関する。
【背景技術】
【０００２】
最近、睡眠環境制御システムが注目されており、ホテルの客室などに利用されつつある。睡眠環境制御システムとは、より質の高い睡眠環境を実現するために、睡眠中のユーザーの体重移動、心拍数や呼吸数等の生体情報を検出し、その結果に基づいて、環境制御機器を制御し、睡眠中のユーザーの睡眠環境を整えるものである。環境制御機器としては、テレビ、照明やエアコンが挙げられる。
【０００３】
睡眠環境制御システムについて、環境制御機器をテレビとして説明する。まず、睡眠前のユーザーが、テレビの電源をＯＮにする。この際、ユーザーが手動でテレビの電源をＯＮにしてもよいし、ベッドに備えられた生体情報検出装置により、ユーザーがベッドに入ると、自動的にテレビの電源がＯＮになるようにしてもよい。ここで、ユーザーに睡眠を促すように、テレビからは、リラクゼーション効果のある画像や音声が出力される。これらの画像や音声の情報は、コンテンツプレーヤ（例えば、ＤＶＤレコーダ）から取得することができる。そして、ユーザーが睡眠に入ると、生体情報検出装置がユーザーの生体情報から、ユーザーの睡眠を検出し、テレビの電源をＯＦＦにしたり、音量を下げたりする。
【０００４】
ところで、テレビは赤外線リモコンを利用して制御することが多い。一般的に、テレビとリモコンとの間で双方向通信を行うことはなく、リモコン側でテレビの状態が適切に変化したかを検出することはできない。
【０００５】
最近のテレビにおいては、ＨＤＭＩケーブルで有線接続されたコンテンツプレーヤと制御信号の双方向通信を行いながら、コンテンツプレーヤのコンテンツ再生時には、テレビの入力切替を自動的に行うシステムを搭載した機種もある。
【０００６】
テレビの入力切替を自動で行うシステムは、例えば、特許文献１に示すように、テレビ前面の入力端子からの映像入力を映像信号検出手段により検出した場合に、自動的に入力モードの切り替えを行い、検出しなくなった場合に元の入力モードに戻す。
【特許文献１】特開２００２−２４７４５７号公報
【発明の開示】
【発明が解決しようとする課題】
【０００７】
しかし、赤外線信号により、テレビを制御する際には、遮蔽物の影響、他の赤外線信号の影響、日光や蛍光灯などの外光の影響などによりリモコンからテレビまでの制御信号の伝達が十分に行われない可能性がある。さらに、テレビ側の仕様により、テレビが制御信号を受け付けても、受信のタイミングによっては、動作しない場合がある。
【０００８】
現行のテレビでは、テレビの状態を外部に発信する仕組みは搭載されておらず、テレビの状態を外部から自動的に認識することは困難であり、確実にテレビの入力を切り替えるためには、利用者がテレビの状況を目や耳で確認しながら、適宜、入力切替操作を行う必要がある。
【０００９】
また、テレビと有線接続されたコンテンツプレーヤが双方向通信を行いながら、テレビの入力切替を自動的に制御するシステムは、比較的新しい技術であり、メーカごとに独自の制御仕様を含むので、一般的に、その適用が限定されてしまう。
【００１０】
テレビの入力切替を自動で行うシステムについて、特許文献１によれば、テレビ自体に入力切替機能を搭載する必要があるため、既に所有しているテレビに適用できなかったり、テレビの買い替えに対応できなかったりする問題がある。
【００１１】
さらに、ホテルの客室などにおいて、テレビは、入力モードが通常のテレビ放送になっていることが多く、ユーザーが、例えば、睡眠環境制御システムを利用すべく、テレビにコンテンツプレーヤからの画像情報や音声情報に基づく画像や音声を出力させる際に、ユーザーにとって、コンテンツプレーヤがテレビのどの入力ポートに接続されているかわからない場合があり、テレビの入力切替操作に時間がかかってしまうという問題がある。
【００１２】
そこで、本発明は、以上の点を鑑み、テレビの入力切替操作を確実に行うとともに、テレビの機種変更にも容易に対応することができるテレビ制御装置を提供することを目的とする。
【課題を解決するための手段】
【００１３】
上記課題を解決するために、請求項１に記載のテレビ制御装置は、リモコン受信部を有するテレビの画像または音声の少なくとも一方の動作状態を取得する動作状態取得部と、コンテンツプレーヤからテレビに入力される画像情報または音声情報の少なくとも一方を含むコンテンツ情報を取得するコンテンツ情報取得部と、動作状態取得部から得られる動作状態とコンテンツ情報取得部から得られるコンテンツ情報とを比較することにより、コンテンツ情報がテレビに表示されているかどうかを判定する判定部と、判定部の判定結果に基づいて、テレビのリモコン受信部に制御信号を送信するリモコン送信部と、を備えることを特徴とする。
【００１４】
請求項２に記載のテレビ制御装置は、リモコン受信部を有するテレビの画像または音声の少なくとも一方の動作状態を取得する動作状態取得部と、コンテンツプレーヤからテレビに入力される画像情報または音声情報の少なくとも一方を含むコンテンツ情報に基準情報を加える基準情報発信部と、動作状態取得部が基準情報に基づく動作状態を取得しているかどうかを判定することにより、コンテンツ情報がテレビに表示されているかどうかを判定する判定部と、判定部の判定結果に基づいて、テレビのリモコン受信部に制御信号を送信するリモコン送信部と、を備えることを特徴とする。
【００１５】
請求項３に記載の発明は、上記請求項１または２に記載のテレビ制御装置において、リモコン送信部は、テレビの他の入力ポートに対応する入力モードに切り替えるリモコン信号を送信し、判定部は、コンテンツ情報がテレビに表示されているかを、再度、判定することを特徴とする。
【００１６】
請求項４に記載の発明は、上記請求項１〜３のいずれか１項に記載のテレビ制御装置において、外部からのリモコン信号を受信するリモコン受信部と、テレビの機種情報と、機種情報に対応し、テレビを制御するための制御信号を管理するリモコン信号データベースと、をさらに備え、リモコン送信部は、リモコン受信部が外部からのリモコン信号を受信したときに、リモコン信号データベースからテレビに対応する制御信号を取得し、テレビに送信することを特徴とする。
【００１７】
請求項５に記載の睡眠環境制御システムは、上記請求項１〜４のいずれか１項に記載のテレビ制御装置と、テレビと、を備え、テレビはテレビ制御装置により制御されることを特徴とする。
【発明の効果】
【００１８】
請求項１に記載の発明においては、コンテンツプレーヤのコンテンツ情報がテレビに実際に表示されているかどうかを確実に判断することができる。また、その結果に基づいて、テレビを制御することができる。
【００１９】
請求項２に記載の発明においては、判定部は、動作状態取得部が一定の基準情報に基づく動作状態を取得しているかどうかを判定するだけで、コンテンツプレーヤのコンテンツ情報がテレビに実際に表示されているかどうかを判定することができるので、判定部による判定が容易になる。
【００２０】
請求項３に記載の発明においては、コンテンツプレーヤからテレビの入力ポートへの配線を誤った場合や配線がわからなくなった場合にも、自動的に、正しいリモコン信号を送信することが可能となる。このため、コンテンツプレーヤからテレビの入力ポートへの配線を誤った場合や配線がわからなくなった場合に、何度も、テレビの入力切替操作を行う必要がなく、操作回数を減らすことができる。また、テレビやコンテンツプレーヤの故障などにより各機器が正しく動作し得ない状況となった場合には、リモコン信号送信を停止することが可能となる。
【００２１】
請求項４に記載の発明においては、テレビの機種変更に容易に対応することができる。
【００２２】
請求項５に記載の発明においては、ユーザーに快適な睡眠を提供することができる。
【発明を実施するための最良の形態】
【００２３】
（実施形態１）
図１に、実施形態１に係る睡眠環境制御システムを示す。ここで、図１（Ａ）は、側面図を示し、図１（Ｂ）は、上面図を示す。
【００２４】
ベッド本体２１の上にマットレス２２が配置され、ベッド本体２１とマットレス２２との間に、生体情報検出装置２３が配置され、ベッド本体２１の内部に環境制御装置１００が配置される。この構成を採用することにより、生体情報検出装置２３および環境制御装置１００がユーザー２４に接触することがなく、ユーザー２４に不快感を及ぼすことがない。この際、生体情報検出装置２３をユーザー２４に接触させずに、ユーザー２４の生体情報を検出できるように、生体情報検出装置２３に非接触型センサを用いる。
【００２５】
環境制御機器として、テレビ１、コンテンツプレーヤ２、照明２５、エアコン２６等が配置されている。
【００２６】
また、枕２７の近辺に、指示入力機器２８が設けられている。本実施形態では、指示入力機器２８として、タッチパネルモニターを採用している。指示入力機器２８は、ユーザー２４からの指示が入力されると、その情報を環境制御装置１００へ伝える。
【００２７】
環境制御装置１００は、ユーザー２４からの指示や睡眠中のユーザー２４の生体情報に従って、テレビ１、コンテンツプレーヤ２、照明２５、エアコン２６等を制御し、ユーザー２４の睡眠環境を整える。
【００２８】
図２に、実施形態１に係るテレビ制御装置の構成を示す。図２に示すように、テレビ１は、テレビ制御装置１００Ａに接続され、コンテンツプレーヤ２は、分配器１２を介して、テレビ１とテレビ制御装置１００Ａとに接続されている。また、テレビ制御装置１００Ａから独立して、赤外線信号発信部１０１が設けられている。
【００２９】
テレビ１は、分配器１２を介して、コンテンツプレーヤ２に接続され、コンテンツプレーヤ２から画像情報や音声情報が入力される。また、テレビ１は、テレビ放送、ビデオ入力、ＰＣ入力などの複数の入力モードを有し、コンテンツプレーヤ２から入力された画像情報や音声情報に基づいて、画像や音声を出力する。さらに、テレビ１は、リモコンからの信号を受信するリモコン受信部１７を備えており、その結果、電源のオンオフ、入力モードの切り替え、チャンネルの変更などの操作が行われる。
【００３０】
コンテンツプレーヤ２は、ビデオデッキ、ＤＶＤプレーヤ、ＤＶＤレコーダ等であり、画像情報や音声情報をテレビ１に入力する。
【００３１】
次に、図２を用いて、実施形態１に係るテレビ制御装置１００Ａの内部構成について説明する。図２では、赤外線信号発信部１０１がテレビ制御装置１００Ａから独立して設けられており、それぞれ、テレビ制御装置１００Ａの送信部９と赤外線信号発信部の受信部１０とでデータの受け渡しが行われる。
【００３２】
ここで、テレビ制御装置１００Ａは、動作状態取得部３と、コンテンツ情報取得部４と、判定部５と、送信部９と、を基本構成とし、赤外線信号発信部１０１は、入力部６と、リモコン信号データベース７と、リモコン送信部８と、制御部１１と、受信部１０と、を基本構成とする。
【００３３】
動作状態取得部３は、テレビ１の画像や音声の動作状態を、カメラ、マイクなどを利用して取得する。
【００３４】
コンテンツ情報取得部４は、コンテンツプレーヤ２からの画像情報や音声情報を取得する。
【００３５】
判定部５は、動作状態取得部３が取得した動作状態とコンテンツ情報取得部４が取得した情報とを比較して、これらが同じものであるかどうかを判定する。判定は、例えば、これらの周波数スペクトルの主要領域どうしを比較することにより行われる。
【００３６】
入力部６は、ユーザー２４（図１参照）がテレビ制御装置１００Ａの動作を開始させるための操作ボタンなどである。具体的には、タッチパネルモニターであり、電源のオンオフ、入力モードの切り替え、チャンネルの変更などの操作が行われる。図１に示す構成では、入力部６は、指示入力機器２８に備えられる。
【００３７】
リモコン信号データベース７は、テレビ１の電源のオンオフ、入力モードの切り替え、チャンネルの変更などのリモコン信号データをまとめたデータベースである。リモコン信号データベース７は、表１に示すように、リスト化されたリモコン信号群を管理することもできる。表１において、信号群Ａ、信号群Ｂ、信号群Ｃは、例えば、それぞれ各種メーカ毎のテレビ１に対応し、操作１、操作２、操作３は、例えば、電源のオンオフ、入力モードの切り替え、チャンネルの変更の操作に対応する。
【００３８】
【表１】
2008131126.tif 000003
【００３９】
制御部１１は、入力部６の入力内容に応じて、リモコン信号データベース７から信号データを読み取って、適切な信号群を取得したり、内部タイマーを利用して、信号の再送信を制御したり、タイムアウトを実行したりする。なお、制御部１１は、以下の機能を付加的に備えていてもよい。あらかじめ、表１に示すようなリモコン信号群の候補リストを用意しておき、リモコン送信部８がリモコン信号を送信しても、判定部５で、動作状態取得部３が取得した動作状態とコンテンツ情報取得部４が取得した情報とが同じものでないと判定された場合には、テレビ１の入力モードが正常に切り替わっていないとして、次の候補のリモコン信号群の信号を、順次、送信するように切り替える機能、そのリモコン信号によって、判定部５で、動作状態取得部３が取得した動作状態とコンテンツ情報取得部４が取得した情報とが同じものであると判定された場合には、テレビ１の入力モードが正常に切り替わったとして、以降、そのリモコン信号を送信するように記憶する機能、および候補リストのリモコン信号群の信号を一通り送信しても、やはり判定部５で、動作状態取得部３が取得した動作状態とコンテンツ情報取得部４が取得した情報とが同じものでないと判定された場合には、テレビ１の入力モードが正常に切り替わっていないとして、信号送信を停止する機能である。
【００４０】
リモコン送信部８は、テレビ１のリモコン受信部１７に、制御部１１で選択された信号群のうち、電源のオンオフ、入力モードの切り替え、チャンネルの変更などをするための制御信号を送信する。ところで、リモコン送信部８がリモコン信号データベース７から、直接、リモコン信号データを読み取って、送信することもできる。なお、リモコン送信部８は、テレビ１に送信するリモコン信号を記憶する機能を備えていてもよい。この機能を備えることにより、逐一、リモコン信号データベース７からリモコン信号データを読み取る必要がなくなる。
【００４１】
送信部９は、判定部５の結果、すなわち、動作状態取得部３が取得した動作状態とコンテンツ情報取得部４が取得した情報とが同じものであるかどうかを赤外線信号として受信部１０へ送信する。
【００４２】
受信部１０は、送信部９から判定部５の結果を赤外線信号として受信し、制御部１１に入力する。
【００４３】
なお、図２に示すテレビ制御装置１００Ａと赤外線信号発信部１０１とをテレビ制御装置１００Ｂとして一体化して、図３に示すような構成を採用してもよい。この場合、図２に示す送信部９および受信部１０は省略される。
【００４４】
実施形態１に係るテレビ制御装置１００Ａ、１００Ｂについて、テレビ１の入力モードを切り替える処理の流れを図４のフローチャートに示す。
【００４５】
まず、入力部６でテレビ１の入力モードを切り替える操作が行われる（Ｓ１）。
【００４６】
次に、制御部１１が入力部６の入力内容に応じて、リモコン信号データベース７からリモコン信号データを取得する（Ｓ２）。
【００４７】
そして、リモコン送信部８がリモコン信号をテレビ１のリモコン受信部１７に送信する（Ｓ３）。
【００４８】
その後、テレビ制御装置１００Ａ、１００Ｂの動作状態取得部３がテレビ１から画像や音声の動作状態を取得する（Ｓ４）。
【００４９】
さらにその後、判定部５が動作状態取得部３の取得したテレビ１の動作状態とコンテンツ情報取得部４の取得したコンテンツプレーヤ２のコンテンツ情報とを比較して、それらが同じものであるかどうかを判定する（Ｓ５）。
【００５０】
テレビ１の動作状態とコンテンツプレーヤ２の取得したコンテンツ情報とが同じものであれば（Ｓ５）、入力モードを切り替える操作（Ｓ１）が正常になされたとして、処理を終了する。
【００５１】
一方、テレビ１の動作状態とコンテンツプレーヤ２のコンテンツ情報とが同じものでなければ（Ｓ５）、入力モードを切り替える操作（Ｓ１）が正常になされていない。
【００５２】
ここで、リモコン信号送信（Ｓ３）から一定時間が経過したかどうかが判断される（Ｓ６）。リモコン信号送信（Ｓ３）からの一定時間とは、例えば、２０秒である。
【００５３】
リモコン信号送信（Ｓ３）から一定時間が経過するまでは（Ｓ６）、判定部５が動作状態取得部３の取得したテレビ１の動作状態とコンテンツプレーヤ２の取得したコンテンツ情報とを比較して、それらが同じものであるかどうかを判定する（Ｓ５）。
【００５４】
リモコン信号送信（Ｓ３）から一定時間が経過するまでに（Ｓ６）、テレビ１の動作状態とコンテンツプレーヤ２のコンテンツ情報とが同じものになれば（Ｓ５）、入力モードを切り替える操作（Ｓ１）が正常になされたとして、処理を終了する。
【００５５】
一方、テレビ１の動作状態とコンテンツプレーヤ２の取得したコンテンツ情報とが同じものにならずに（Ｓ５）、リモコン信号送信から一定時間が経過した場合（Ｓ６）、その後に、入力モードを切り替える操作（Ｓ１）が行われてから一定時間が経過したかどうかが判断される（Ｓ７）。入力モードを切り替える操作（Ｓ１）が行われてからの一定時間とは、例えば、４０秒である。
【００５６】
ここで、入力モードを切り替える操作（Ｓ１）が行われてからの一定時間の終期は、リモコン信号送信（Ｓ３）からの一定時間の終期よりも遅くなるように設定される。
【００５７】
入力モードを切り替える操作（Ｓ１）が行われてから一定時間が経過していなければ（Ｓ７）、再度、上記Ｓ３の処理が行われる。すなわち、リモコン送信部８がリモコン信号をテレビ１のリモコン受信部１７に送信する。
【００５８】
入力モードを切り替える操作（Ｓ１）が行われてから一定時間が経過するまでは（Ｓ７）、リモコン送信部８が繰り返しリモコン信号を送信し、判定部５が動作状態取得部３の取得したテレビ１の動作状態とコンテンツ情報取得部４の取得したコンテンツプレーヤ２のコンテンツ情報とを比較して、それらが同じものであるかどうかを判定する（Ｓ３〜Ｓ７）。
【００５９】
ここで、テレビ１の動作状態とコンテンツプレーヤ２のコンテンツ情報とが同じものになれば（Ｓ５）、入力モードを切り替える操作（Ｓ１）が正常になされたとして、処理を終了する。
【００６０】
一方、テレビ１の動作状態とコンテンツプレーヤ２のコンテンツ情報とが同じものにならない場合（Ｓ５）、すなわち、テレビ１の入力モードが正常に切り替わらない場合は、コンテンツプレーヤ２が、テレビ１の他の入力ポートに接続されている可能性がある。
【００６１】
そこで、制御部１１は、テレビ１に他の入力ポートがあるかどうかを判断する（Ｓ８）。
【００６２】
制御部１１は、テレビ１に他の入力ポートがあれば（Ｓ８）、当該他の入力ポートに対応する入力モードを選択し（Ｓ９）、上記Ｓ２〜Ｓ８の処理が行われる。なお、ここでは、Ｓ２で、当該他の入力ポートに対応する入力モードに切り替えるリモコン信号データをリモコン信号データベース７から取得する。また、Ｓ７では、制御部１１が他の入力ポートに対応する入力モードを選択（Ｓ９）してから一定時間が経過したかどうかが判断される。
【００６３】
ここで、テレビ１の動作状態とコンテンツプレーヤ２のコンテンツ情報とが同じものになれば（Ｓ５）、入力モードを切り替える操作（Ｓ１）が正常になされたとして、処理を終了する。
【００６４】
一方、制御部１１がすべての入力ポートに対応する入力モードを選択し（Ｓ９）、上記Ｓ２〜Ｓ８の処理が行われても、テレビ１の動作状態とコンテンツプレーヤ２のコンテンツ情報とが同じものにならない場合（Ｓ５）、すなわち、テレビ１の入力モードが正常に切り替わらない場合は、テレビ１やコンテンツプレーヤ２の故障などが原因であると考えられる。
【００６５】
そこで、タイムアウトとして処理を終了する。
【００６６】
その効果として、テレビ１を確実にコンテンツプレーヤ２の入力モードに切り替えることができ、コンテンツプレーヤ２のコンテンツ情報がテレビ１に実際に表示されているかどうかを確実に判断することができる。また、その結果に基づいて、テレビ１を制御することができる。
【００６７】
また、コンテンツプレーヤ２からテレビ１の入力ポートへの配線を誤った場合や配線がわからなくなった場合にも、自動的に、正しいリモコン信号を送信することが可能となる。このため、コンテンツプレーヤ２からテレビ１の入力ポートへの配線を誤った場合や配線がわからなくなった場合に、何度も、テレビ１の入力モードの切り替え操作を行う必要がなく、操作回数を減らすことができる。また、テレビ１やコンテンツプレーヤ２の故障などにより各機器が正しく動作し得ない状況となった場合には、リモコン信号送信を停止することが可能となる。
（実施形態２）
睡眠環境制御システムの基本構成については、実施形態１と同様である（図１参照）。
【００６８】
図５に、実施形態２に係るテレビ制御装置の構成を示す。
【００６９】
実施形態１と異なる点は、テレビ制御装置１００Ｃがリモコン受信部１５を備える点、制御部１１には、現在、どのテレビを利用しているかをあらかじめ設定しておくことができる機能がある点である。
【００７０】
なお、リモコン信号データベース７には、表１に示すように、リスト化されたリモコン信号群が管理されている。
【００７１】
テレビ制御装置１００Ｃのリモコン受信部１５が外部リモコン送信器１６から特定のリモコン信号を受信すると、制御部１１は、リモコン信号データベース７から現在利用中のテレビに対応するリモコン信号群を取得する。
【００７２】
実施形態２に係るシステムの処理について、図６にフローチャートを示す。
【００７３】
まず、テレビ制御装置１００Ｃのリモコン受信部１５が外部リモコン送信器１６からリモコン信号を受信する（Ｓ１２）。
【００７４】
次に、制御部１１がリモコン信号データベース７から現在利用中のテレビに対応するリモコン信号群を取得する（Ｓ１３）。
【００７５】
その後、テレビ１の入力モードを切り替える場合は、入力部６でテレビ１の入力モードを切り替える操作が行われ（Ｓ１）、図４のフローチャートに示す処理が行われる。
【００７６】
なお、リモコン送信部８に、現在どのテレビを利用しているかを設定しておく機能があり、リモコン送信部８は、テレビ制御装置のリモコン受信部１５が外部リモコン送信器１６から特定のリモコン信号を受信すると、現在利用中のテレビに対応するリモコン信号群を、リモコン信号データベース７から取得するように構成してもよい。
【００７７】
また、リモコン送信部８や制御部１１は、リモコン受信部１５が受信した外部リモコン送信器１６からのリモコン信号を、リモコン信号データベース７に基づいて、現在利用中のテレビに対応するリモコン信号に変換することもできる。
【００７８】
このような構成により、同一の外部リモコン送信器１６を用いて、多種多様のテレビを制御することが可能となる。
【００７９】
その効果として、テレビの機種変更に容易に対応することができる。
（実施形態３）
睡眠環境制御システムの基本構成については、実施形態１と同様である（図１参照）。
【００８０】
図７に、実施形態３に係るテレビ制御装置の構成を示す。
【００８１】
実施形態１とは、コンテンツ情報取得部４（図２および図３参照）が基準情報発信部１３に置き換えられている点および分配器１２が混合器１４に置き換えられている点で異なる。
【００８２】
基準情報発信部１３は、基準情報を発信する。基準情報として、音声情報であれば、人間の可聴領域外でテレビ１から出力可能な音声情報であることが好ましい。また、画像情報であれば、例えば、１秒間のテストパターンを含む画像情報を採用することができる。
【００８３】
混合器１４は、基準情報発信部１３から発信される基準情報とコンテンツプレーヤ２からの情報を合成する。
【００８４】
テレビ１には、コンテンツプレーヤ２からの情報と基準情報発信部１３からの基準情報とが入力される。
【００８５】
判定部５は、動作状態取得部３がテレビ１から基準情報に基づく動作状態を取得しているかどうかを判定することにより、コンテンツプレーヤからの情報がテレビに表示されているかどうかを判定する。判定部５は、動作状態取得部３がテレビ１から基準情報に基づく動作状態を取得しているかどうかを判定するために、あらかじめ、基準情報を記憶しておいてもよいし、基準情報発信部１３から基準情報を読み込んでもよい。
【００８６】
テレビ１の入力モードを切り替える場合の処理について説明すると、Ｓ５（図４参照）で、判定部５は、動作状態取得部３がテレビ１から基準情報に基づく動作状態を取得しているかどうかを判定する。Ｓ５以外の処理は、実施形態１および実施形態２と同様である（図４および図６参照）。
【００８７】
実施形態３に係るシステムを採用することで、判定部５は、動作状態取得部３が一定の基準情報に基づく動作状態を取得しているかどうかを判定するだけで、コンテンツプレーヤ２のコンテンツ情報がテレビ１に実際に表示されているかどうかを判定することが可能となる。
【００８８】
その効果として、判定部５による判定が容易になり、またコンテンツプレーヤの状態や再生コンテンツの内容によらず、テレビ１を確実にコンテンツプレーヤ２の入力モードに切り替えることができる。
【図面の簡単な説明】
【００８９】
【図１】実施形態１〜３に係る睡眠環境制御システムを示す図である。
【図２】実施形態１に係るテレビ制御装置の構成を示すブロック図である。
【図３】実施形態１に係るテレビ制御装置の構成の変形例を示すブロック図である。
【図４】実施形態１に係るテレビ制御装置の処理の流れを示すフローチャートである。
【図５】実施形態２に係るテレビ制御装置の構成を示すブロック図である。
【図６】実施形態２に係るテレビ制御装置の処理の流れを示すフローチャートである。
【図７】実施形態３に係るテレビ制御装置の構成を示すブロック図である。
【符号の説明】
【００９０】
１                                      テレビ
２                                      コンテンツプレーヤ
３                                      動作状態取得部
４                                      コンテンツ情報取得部
５                                      判定部
６                                      入力部
７                                      リモコン信号データベース
８                                      リモコン送信部
９                                      送信部
１０                                    受信部
１１                                    制御部
１２                                    分配器
１３                                    基準情報発信部
１４                                    混合器
１５                                    リモコン受信部
１６                                    外部リモコン送信器
１７                                    リモコン受信部
２１                                    ベッド本体
２２                                    マットレス
２３                                    生体情報検出装置
２４                                    ユーザー
２５                                    照明
２６                                    エアコン
２７                                    枕
２８                                    指示入力機器
１００                                  環境制御装置
１００Ａ、１００Ｂ、１００Ｃ、１００Ｄ  テレビ制御装置
１０１                                  赤外線信号発信部
【図１】
2008131126.tif 000004
【図２】
2008131126.tif 000005
【図３】
2008131126.tif 000006
【図４】
2008131126.tif 000007
【図５】
2008131126.tif 000008
【図６】
2008131126.tif 000009
【図７】
2008131126.tif 000010